(57)【要約】      （修正有）【課題】身体の一ケ所に止め置いて使用してもコイル面全体のどこからでも磁気が出るようにして広範囲に磁気が行き渡るようにすることで個人が自宅で全身の電磁治療を可能にすること。【解決手段】絶縁電線をリング状に一巻ずつ中心点をずらして構成させ両端３と４に電極を繋ぎ４〜２０Ｈｚのパルス電流を流し、アルファー波などを誘導させるパルス磁気発生器。又は、エッチングで金属箔に電流回路を形成しそれを両側から絶縁フィルムでラミネートしたものに同じ方法で他１枚作った物を９０度横にして２枚を貼り合わせて、７の部分で金属箔の電流回路を接合導通させ３と４から４〜２０Ｈｚのパルス電流を流し、アルファー波などを誘導させるパルス磁気発生器。【選択図】図１
2004290629.tif 000002
【特許請求の範囲】
【請求項１】
図１で示すように絶縁電線をリング状に中心点をずらすように配置させその両端３と４を給電部として４〜２０Ｈｚのパルス電流を流し、アルファー波などを誘導させることを特徴とするパルス磁気発生器。
【請求項２】
図２で示すように絶縁電線を蛇行させるように交差させその両端３と４を給電部とした事を特徴とした請求項１記載のパルス磁気発生器。
【請求項３】
図３で示すようにエッチングで金属箔１を形成させフィルム２を片側ラミネートし、金属箔に４〜２０Ｈｚのパルス電流回路を形成しその上にフィルム２をラミネート後金属箔両端３と４を給電部とした請求項１記載のパルス磁気発生器。
【請求項４】
図４で示すようにエッチングで金属箔１を形成させフィルムを片側ラミネートし、金属箔に４〜２０Ｈｚのパルス電流回路を形成しその上にフィルムをラミネートしたもの５と、金属箔１の方向だけが違うよう上記と同じ方法で製造したフィルム６とを２枚貼り合わせて、双方の金属箔７の部分にハトメを打ち電流回路を接合導通させ、３と４を給電部とした事を特徴とした請求項１記載のパルス磁気発生器。
【発明の詳細な説明】
【０００１】
【発明の属する技術分野】
本発明は電磁気治療用の磁気発生コイルに属するものである。
【０００２】
【従来の技術】
従来のコイル図５では同一円周上に電線を巻いているので８の近辺に磁気が集中しているため、身体の広範囲に治療を施すためには身体にあてながら少しずつ移動させる必要がある。昼間ではこれが簡単に出来るが、就寝時ではこれが難しい。又、従来のコイルは１センチ位の厚みがあり就寝時、身体と布団の間にはさんで使用する時に場所によっては違和感を感じる。
【０００３】
電線を蜘蛛の巣状に編みこんだコイル図６は図５のコイルと比べて磁力は増大する。しかし身体の広範囲を治療させたい時はやはり複数のコイルが必要でしかも磁気が強いため長時間の治療には向いていない。
【０００４】
従来のコイル図５は頭に乗せて脳波をアルファー波に誘導させるのが第一の目的でそのためコイルの大きさが頭より少し小さめである。そのため頭の大きさより大きいコイルが無かった。また大きなコイルでは円周が大きくなるため円の中心部分９と、コイル部分８との間に磁気の発生分布に格差が出てくる。これも身体の広範囲に磁気が行き渡るためには、一定時間ごとに移動させないと効果が出ない。
【０００５】
従来のコイル図５では磁力発生分布が円の回り８に集中していて、円全体から磁気が出ていない。そのため使用時にこれを解消するため従来では同時に２つのコイルで身体を挟むように使用していた。この方法はコイルをあてている間は手で押さえる等して保持させる必要がある。これを就寝時にやると双方のコイルがいつの間にか所定の位置からずれて効果が薄れるのが現状です。
【０００６】
従来ある全身の電磁気治療器は、身体全体が入るトンネル型装置で大掛かりでありその装置のある所まで出向いていかなくては治療出来ない。これは不便である。
【０００７】
【発明が解決しようとする課題】
従来の電磁気治療器の磁気発生コイルではリング状コイル８の周辺だけが磁気が強く、中心部９は磁気が弱かったため治療時に身体の一ヶ所にコイルを止め置いて治療しようとすると、磁気の効果が及ぶ範囲が狭いため身体の広範囲に治療が出来なかった。そこで本発明は身体の一ヶ所に止め置いて使用してもコイル面全体のどこからでも磁気が出るようにして広範囲に磁気が行き渡るようにすることで個人が自宅で全身の電磁治療を可能にすることを課題とする。
【０００８】
【課題を解決するための手段】
上記課題を解決するために、先ず従来の図５磁気発生器のリング状のコイルは所定回数巻かれた状態で機能している。例えば電線の巻き回数が５０回だとすると、その１巻きだと１／５０の磁気出力がある、その１巻きを真直ぐに伸ばしたしてもやはり１／５０の磁気出力がある。ここで説明したいのは、５０回巻き数のコイルを真直ぐに伸ばした直線の全部から出ている磁気パワーの合計と５０回巻いたリングの磁気パワーが同じであるという事である。それでリング状コイル部分８に集結していた磁気パワーは電線を長く伸ばすことで分散する、そしてこの伸ばした電線を再び身体の一部分を被う位の大きさに再構築したのが請求項１記載のパルス磁気発生器で、図１で示すように絶縁電線をリング状に一巻ずつ中心点をずらすように配置させその両端３に４〜２０Ｈｚのパルス電流を流しアルファー波などを誘導させることを特徴とするパルス磁気発生器である。この本発明品は図５の８に示すように電線が同一軌跡上にない。図１のとおり広くなっただけ磁気発生は分散低下しているが、確実に面の全体から磁気が出ている。磁気発生低下の問題は電磁気治療器からパルス磁気発生器への電圧出力を上げることで解決できる。
【０００９】
上記課題を解決するために、請求項２記載のパルス磁気発生器は、図２で示すように絶縁電線を蛇行させ縦と横に交差するように配置させその両端３と４を給電部とした事を特徴とした請求項１記載のパルス磁気。
【００１０】
上記課題を解決するために、請求項３記載のパルス磁気発生器は、図３のようにエッチングで蛇行させるように１を形成させポリエステルフィルム２を片側ラミネートし、金属箔側に４〜２０Ｈｚのパルス電流回路を形成しその上にポリエステルフィルム２をラミネート後金属箔両端３と４にハトメを打って給電部とした請求項１記載のパルス磁気発生器である。
【００１１】
又上記課題を解決するために、請求項４記載のパルス磁気発生器は、図４で示すようにエッチングで金属箔１を形成させフィルムを片側にラミネートし、金属箔に４〜２０Ｈｚのパルス電流回路を形成しその上にフィルムをラミネートしたもの５と、金属箔１の方向だけが違うよう上記と同じ方法で製造したフィルム６とを２枚貼り合わせて、双方の金属箔７の部分にハトメを打ち電流回路を接合導通させ、３と４にハトメを打って給電部とした事を特徴とした請求項１記載のパルス磁気発生器。
【００１２】
【発明の実施の形態】
以下、本発明を図面を参照して実施の形態に基ずいて説明する。図１に示されるようにエナメル線を同一軌跡上には配置せず、リング状に一巻ずつ中心点を横にずらすように配置させその両端３と４に４〜２０Ｈｚのパルス電流を流し、アルファー波などを誘導させる。もともと図５で所定回数の巻き数だけ巻かれたコイル電線は当然ながら厚みが出来る、そのコイル電線を一巻ずつ中心点を横にずらした形態が本発明の図１で、横から見れば図５の厚みと比べて図１は薄くなっている。この薄いということは、本発明品が身体との接触面で違和感が小さく使いやすいという事なる。なお大きさは縦６０〜８０ｃｍ  横５０ｃｍ位で電線の長さは２０〜３０ｍ位が下肢部に使用するのに丁度良いが、大きさは身体の各部に合わせて用意する。なおリングの形状が四角やその他になっても効果は同じです。使用時には布等のカバーをかぶせる。
【００１３】
図２に示されるように絶縁電線を蛇行させ縦と横に交差させ粘着テープ等で固定させその両端３と４を給電部とした事を特徴とした請求項１記載のパルス磁気発生器で、大きさは縦６０〜７０ｃｍ  横５０ｃｍ位で電線の長さは２０〜３０ｍ位が下肢部に使用するのに丁度良いが、大きさは身体の各部に合わせて用意する。使用時には布等のカバーをかぶせる。
【００１４】
又、図３に示されるようにエッチングで蛇行させるように金属箔１を形成させフィルム２を片側ラミネートし、金属箔側に４〜２０Ｈｚのパルス電流回路を形成しその上にフィルム２をラミネート後金属箔両端３にハトメを打って給電部とする。その給電部に電線を半田付けでつけ短絡防止のためエポキシ樹脂などで絶縁する。
【００１５】
図４で示すようにエッチングで金属箔１を形成させフィルムを片側にラミネートし、金属箔に４〜２０Ｈｚのパルス電流回路を形成しその上にフィルムをラミネートしたもの５と、金属箔１の方向だけが違うよう上記と同じ方法で製造したフィルム６とを２枚貼り合わせて、双方の金属箔７の部分にハトメを打ち電流回路を接合導通させ、３と４にハトメを打って給電部に電線を半田付けして短絡防止のためエポキシ樹脂等で絶縁する。
【００１６】
図７に示すようにエナメル線を同一軌跡上には配置せず、リング状に一巻ずつ中心点は円を描くようにずらして配置させその両端３と４に４〜２０Ｈｚのパルス電流を流し、アルファー波などを誘導させる。
【００１７】
材料である電線の種類はビニール電線とエナメル線及び銅箔の使用が考えられる。図１と図２をビニール電線、図３を銅箔で製造された本発明品は柔軟性に富み、身体の形にフィットしやすく実用的である。又、図１図２及び図７をエナメル線で製造された本発明品は当然のごとく堅く柔軟性は乏しいが、細い線を使用することで柔軟性が向上する。この本発明品の使用時の外形は布などでカバーする。
【００１８】
身体の各部分に合わせて大きさを調整出来る。図２の本発明品を、長さが２５〜３０メートルのビニール電線で足首からお尻にかけての下肢をカバーする長さ約８０センチ、幅約５０センチ位の大きさに作り、電磁治療装置の電圧出力を３０Ｖ〜１２０Ｖ、周波数は４〜１０Ｈｚのアルファー波〜シーター波に合わせて使用すると具合が良かった。長時間使用していると身体がパルス磁気に慣れてきて治療効果が薄くなってくるが、本発明のパルス磁界発生器図１では電線が螺旋状の形態をしていてその電線のどこからでも磁力が出ている。しかもその磁力の出方が全て同じでなく場所によって若干の強弱がある。これは身体にとってどう言う意味があるのかと説明すると、人間は寝ている間に寝返りをうったりして常に身体を動かしている、と言うことはパルス磁気発生器に接している身体は、磁力の強い所や弱い所等へと常に動いている。これが磁力の身体への慣れを弱めるのである。また電磁治療器本体に１／Ｆ（エフブンノイチ）の揺らぎを発生させる機能と、電流の＋と−が自動的に反転する機能や交流電気の出力する機能があれば上記の本発明品と合わせて身体には最適である。
【００１９】
本発明品は図１図２のような形態をしているため、頭に乗せて使用することは当然ながら不可であり使用形態は就寝時に枕の下や身体の上下に置いて使用する。
【００２０】
普段の生活や家事などをしながらの治療に使用する時は、ズボンや服の各部分に専用ポケットを作りそこへサイズを合わせた図４に示すようなパルス磁気発生器を装着して電池で稼動する携帯用電磁治療器に繋ぎ使用する。
【００２１】
足のふくらはぎや大腿部及び各筋肉を被う位の大きさに本発明品図４のパルス磁気発生器を作り、一部分伸縮性のあるマジックテープで足や身体に固定させ、携帯用磁気治療装置に繋いで野外でのトレーニングでの使用が可能になる。
【００２２】
一日中デスクワークの仕事をしている人には背もたれと身体の間、おしりの下等に本発明のパルス磁気発生器をはさんで使用する。厚さが薄いので違和感がない。
【００２３】
【発明の効果】
本発明は以上に説明したような構成により次のような効果を奏する。請求項１．２．３．４に記載されている発明は構成している面全体から磁力が発生していて身体の各ツボに磁力すでにが当たっているため治療中コイルを移動しなくても楽に治療をすることが出来る。この面全体から出る磁力を確認するには、エメナル線を小さく数十回巻いてループコイル状にし、その両端に発光ダイオードを接合した検知器を本発明の各所に近ずけるとパルス状に輝いて磁気が出ているのが確認出来る。
【００２４】
下肢部分は心臓から遠く、重力の関係で静脈の血液やリンパ液の流れが弱い。これを強化させるために歩くことが一番の薬である。それはふくらはぎの筋肉が歩くたびに収縮してポンプの役目をしていて、静脈の血液やリンパ液をスムーズに送るためで、歩くという行為を日常的に行へば血圧の高い人は低い方へと改善される。
【００２５】
それで本発明図２を足首からお尻にかけての下肢部分の大きさに合わせて電線の長さが２５メートルで縦５０センチ横５０センチのパルス磁気発生器を使用した時の効果を説明する。パルス磁気の発生周期をアルファー波〜シーター波のゆったりとしたリズムに調整して、就寝時に本発明品を下肢の裏部分に使用することで碁盤のように広い範囲で血管が磁気の作用で拡張して動脈、静脈の血流やリンパ液の流れが盛んになり心蔵の負担が低減する。これで毎日寝ている間に高血圧に由来する諸症状が改善出来き、人間が本来持っている自然治癒力で身体を正常に戻してくれる効果がある。
【００２６】
これをスポーツのトレーニング等に使用すれば筋肉内の疲労物質である乳酸が早く移動して疲労の軽減が期待出来きる、又筋肉が柔らかくなるので瞬発力が出来る。一流のスポーツマンの筋肉は柔らかいがそれに附随して関節も柔らかいので一般の人と比べて怪我が少ない。これは天性の素質もあるが運動の後マッサージで筋肉の疲労や緊張を取り去っているためで、トレーニング中や就寝時に本発明品を使用することで、更に筋肉のリフレッシュに貢献出来る。
【００２７】
就寝時大腿部の裏からふくらはぎにかけて本発明品を使用すると、深部体温が上がり日なたぼっこをしているように下肢部が暖かくなり、副交感神経が優位に働き始め身体も脳もすごくリラックスして熟睡でき、心身共に癒される。
【００２８】
就寝時大腿部の裏からふくらはぎにかけて本発明品を使用すると、血圧が安定になるため歯茎からの出血が減少し鼻の通りが良くなるため、いびきが減少する。就寝時鼻呼吸が楽に出来るようになるため、睡眠時無呼吸症候群の治療に薬を服用することなく治療出来る。
【００２９】
就寝時大腿部の裏からふくらはぎにかけて本発明品を使用すると、足からの血液がたくさん内臓に帰ってくるため内臓の活動が活発になる。特に腸が音を出して活動している。
【００３０】
就寝時大腿部の裏からふくらはぎにかけて本発明品を使用すると、身体のすべてがリラックスして毛細血管の隅々まで血液が流れるため、眼底の毛細血管もその影響で若返り、眼が疲れなくなり老眼も改善された。又まぶたのはれ、むくみも日に日に減少してきた。
【００３１】
就寝時大腿部の裏からふくらはぎにかけて本発明品を使用すると、足の裏の筋肉が柔らかくなって足の指でグー、チョキ、パーを長く行っても指がつらない。青竹踏みをしてもぜんぜん痛くなくなり、長時間歩いても足が疲れなくなった。
【００３２】
本発明品は広い範囲から磁気がでるため、身体の大きい動物達の治療も可能になる。又、熱帯魚等の水槽に張り付けて水質の改善にも利用出来る。
【００３３】
図１、図５、図７のパルス磁気発生器は表面と裏面に＋、−が検知器ではっきり確認出来る。図２．図４のパルス磁気発生器では金属箔が交差している小さな四角い所で一つ置きに発光ダイオードの検知器が点滅しているのが確認出来る。
【図面の簡単な説明】
【図１】請求項１の実施形態を示す電磁気発生器の正面図である。
【図２】請求項２の実施形態を示す電磁気発生器の正面図である。
【図３】請求項３の実施形態を示す電磁気発生器の斜面図である。
【図４】請求項４の実施形態を示す電磁気発生器の斜面図である。
【図５】従来の電磁気発生器コイルの正面図である。
【図６】蜘蛛の巣状コイルを示す概略図
【図７】請求項１の実施形態を示す電磁気発生器の正面図である
【符号の説明】
１  金属箔
２  絶縁フィルム
３  給電部
４  給電部
５  絶縁フィルム
６  絶縁フィルム
７  金属箔の接合部分
８  コイル部分
９  コイルの中心部
【図１】
2004290629.tif 000003
【図２】
2004290629.tif 000004
【図３】
2004290629.tif 000005
【図４】
2004290629.tif 000006
【図５】
2004290629.tif 000007
【図６】
2004290629.tif 000008
【図７】
2004290629.tif 000009